(57)【要約】【課題】複数の外部接続端子が連続して配置されている撮像装置において隣り合う外部接続端子にケーブルを挿入する際端子蓋が邪魔になり挿入しにくいという問題があった【解決手段】  外部接続端子蓋の外観部に凹形状を設け、外部接続プラグを使用しない外部接続端子蓋に設けられた凹形状に使用する外部接続端子蓋に設けられた凸形状を係合させることにより蓋が邪魔にならない。【選択図】図７
2018129649.tif 000002
【特許請求の範囲】
【請求項１】
複数の外部接続端子が配置され、それぞれの外部接続端子に対し、外部接続端子蓋が配置された撮像装置において第１の外部接続端子と、第２の外部接続端子は隣り合って配置され、第１の外部接続端子を覆う第１の外部接続端子蓋は外観部に凹形状を有し、前記第２の蓋には、前記第１の外部接続端子蓋に設けられた凹部に係合する凸形状を有していることを特徴とする撮像装置。
【請求項２】
請求項１に記載の撮像装置において、前記第２の外部接続端子蓋は外観部に凹形状を有し、前記第１の蓋には、前記第２の外部接続端子蓋に設けられた凹部に係合する凸形状を有していることを特徴とする撮像装置。
【発明の詳細な説明】
【技術分野】
【０００１】
本発明は複数の外部接続端子を保護するカバー部品に関するものである。
【背景技術】
【０００２】
従来、業務用のビデオカメラでは、多くの外部接続端子が配置され、同形状の外部接続端子が複数個連続して配置されたものがある。この外部接続端子には、雨などの水滴から保護するために、使用していない外部接続端子を保護するための外部接続端子蓋が設けられている。この外部接続端子蓋は複数配置された外部接続端子蓋に対し、それぞれに独立した蓋が設けられ、外部接続端子に対し、圧入により固定されている。また、外部接続端子蓋は圧入に適したエラストマーで作られている。
【０００３】
上記業務用ビデオカメラでは、外部接続端子にケーブルを挿入して使用する際には、前記外部接続端子蓋を使用する部分のみ外し、他の蓋は装着したままで使用する。また、従来のビデオカメラにおいては特許文献１に示すように、端子蓋に突部を有したカバーをグリップベルト固定金具に設けられた穴に固定することができるというものがあった。
【先行技術文献】
【特許文献】
【０００４】
【特許文献１】特開２０１４−２０２８２４号公報
【発明の概要】
【発明が解決しようとする課題】
【０００５】
しかしながら上記従来例は一つの端子蓋の固定方法であり、複数の外部接続端子が連続して配置されている場合において、隣り合う外部接続端子のうち、１つだけ使用した際に、蓋が固定できず邪魔になってしまうという問題があった。また、グリップ金具のような端子蓋を固定する別部品が配置できない場合において、ケーブルを挿入する際に端子蓋が邪魔にならないように配置することが求められている。
【０００６】
そこで、本発明にかかわる撮像装置の目的は、複数の外部接続端子が連続して配置され、それぞれの外部接続端子に対し、独立した端子蓋を有した撮像装置において、ケーブルを接続する際に端子蓋がケーブル接続の邪魔にならないように配置することである。
【課題を解決するための手段】
【０００７】
本発明の撮像装置は、複数の外部接続端子コネクタが配置され、それぞれの外部接続端子コネクタに対し、外部接続端子蓋が配置された撮像装置において第１の外部接続端子コネクタと、第２の外部接続端子コネクタは隣り合って配置され、第１の外部接続端子コネクタを覆う第１の外部接続端子蓋は外観部に凹形状を有し、前記第２の蓋には、前記第１の外部接続端子蓋に設けられた凹部に係合する凸形状を有していることを特徴としている。
【０００８】
また、本発明の他の特徴とするところは、前記第２の外部接続端子蓋は外観部に凹形状を有し、前記第１の蓋には、前記第２の外部接続端子蓋に設けられた凹部に係合する凸形状を有していることを特徴としている。
【発明の効果】
【０００９】
本発明によれば、隣り合う外部接続端子の蓋が配置された撮像装置において、一方の接続端子を使用する際に開閉した外部接続端子の蓋を隣接する蓋に設けられた凹形状に係合させ、固定することにより、ケーブルを挿入する際に蓋が邪魔にならずスムーズな挿入が可能になる。
【図面の簡単な説明】
【００１０】
【図１】本発明実施例の撮像装置本体左前側面図。
【図２】本発明実施例の撮像装置本体左後側面図。
【図３】本発明実施例の撮像装置リア側外部接続端子部拡大図。
【図４】外部接続端子蓋単体正面図。
【図５】外部接続端子蓋単体背面図。
【図６】外部接続端子蓋断面図。
【図７】外部接続端子蓋開き状態図。
【図８】外部接続端子蓋開き状態断面図。
【図９】プラグ挿入図。
【発明を実施するための形態】
【００１１】
＜第１の実施形態＞
≪撮像装置全体の説明≫
以下本発明の実施例について図を参照しながら説明する。図１は、本発明の撮像装置１０を示しており、前記撮像装置１０を左側面上方から見た斜視図である。図１に示すように、前記撮像装置１０は本体部１０１に対し、正面側には、交換可能な撮像レンズ部１０２、が配置され、背面側には、電源を供給するためのバッテリー１０３が配置されている。
【００１２】
次に前記本体部１０１の詳細な説明を図１、図２を用いて説明する。前記本体部１０１に搭載されたコネクタを順に説明する。Ｄタップコネクタ  １０４は外付けビデオライトや外付けモニタに電源を供給することが可能な電源コネクタである。ワイヤレス通信コネクタ１０５は本体と接続することにより、撮影データを無線通信により転送可能なワイヤレス通信ユニットを接続することができるコネクタである。
【００１３】
マイク入力コネクタ１０６はＸＬＲコネクタであり、外付けマイクを本体に接続した際に、外付けマイクに入力された信号を前記撮像装置１０に送り、本体に搭載された基板で信号処理することにより、音声を記録することができる。レンズコネクタ１０７は前記撮像レンズ部１０２に配置されたケーブルと接続することにより、レンズからの信号を本体部に送信するためのコネクタである。カードユニット１０８は蓋の内部に記録メディアが配置されている。
【００１４】
次に図２は前記撮像装置１０を左側背面上方から見た斜視図である。外付けモニタ接続コネクタ２０１は本体部に取り付け可能なＥＶＦと本体を電気的に接続するためのコネクタであり、ＥＶＦから出たケーブルを本体に接続することにより前記撮像レンズ部１０２から入力された映像をＥＶＦに出力することができる。ＨＤＭＩ（登録商標）ケーブルコネクタ２０２は映像と音声を伝送する通信ケーブルであり、前記撮像レンズ部１０２から入力された映像と音声を外部モニタに出力することができる。有線ＬＡＮケーブルコネクタ２０３はＬＡＮケーブルを接続することによりインターネットに接続することができる。
【００１５】
撮影情報出力コネクタ２０４、２０５はそれぞれ撮影した際の情報を出力するためのコネクタであり、外部機器に接続することにより、タイムコードやＧＥＮロックなどの情報を出力することができる。モニタ２０６、２０７は前記撮像レンズ部１０２から入力された映像信号を出力するためのコネクタであり、本実施例ではＢＮＣコネクタを使用している。リターン信号コネクタ２０８は外部情報入力のためのコネクタであり、複数台のカメラを用い撮影を行う際に、他のカメラが撮影している映像を、前記撮像装置１０のモニタに映し出すことが可能であり、ＢＮＣコネクタを使用している。
【００１６】
ＳＤＩコネクタ２０９、２１０、２１１、２１２は、外部にＳＤＩ信号を出力するためのコネクタでありＢＮＣコネクタを使用している。リモコン端子２１３はリモコンユニットと接続することにより、入力された信号を前記本体部１０１に搭載された、不図示のＭＡＩＮ基板に入力し、前記撮像装置１０を操作することができる。ランクコネクタ２１４は、ランクリモコンを接続することにより、前記撮像装置１０を操作することができる。オーディオ出力ステレオコネクタ２１５は、前記撮像装置１０により録音された音声をステレオ信号で外部に出力することができる。
【００１７】
オーディオ出力モノラルコネクタ２１６は、前記撮像装置１０により録音された音声をモノラル信号で外部に出力することができる。オーディオ出力モノラルコネクタ２１７も同様に前記撮像装置１０により録音された音声をモノラル信号で外部に出力することができ、前記オーディオ出力モノラルコネクタ２１６がチャンネル１を出力し、前記オーディオ出力モノラルコネクタ２１７がチャンネル２を出力する。電源コネクタ２１８は前記撮像装置１０に電力を供給するためのコネクタである。前記オーディオ出力モノラルコネクタ２１６、オーディオ出力モノラルコネクタ２１７、電源コネクタ２１８は隣り合って配置されている。
【００１８】
次に図３を用いて本発明の外部接続端子蓋形状について説明する。図３は前記撮像装置１０の背面側に配置されたジャック部を示している。図に示す、リアジャック蓋３０１は、前記オーディオ出力モノラルコネクタ２１６、オーディオ出力モノラルコネクタ２１７、電源コネクタ２１８を水や埃から保護するための部品である。
【００１９】
前記、リアジャック蓋３０１には、前記オーディオ出力モノラルコネクタ２１６を覆うためのオーディオ蓋３０１ａ、前記オーディオ出力モノラルコネクタ２１７を覆うためのオーディオ蓋３０１ｂ、前記電源コネクタ２１８を覆うための電源蓋３０１ｃが設けられている。
【００２０】
更に、前記リアジャック蓋３０１には、本体固定部３０１ｄを有しており、前記撮像装置１０に固定されている。更に、前記本体固定部３０１ｄは、腕形状が分岐しており、前記オーディオ蓋３０１ａと前記本体固定部３０１ｄをつなぐオーディオ蓋接続腕３０１ｅが設けられている。また、前記オーディオ蓋３０１ｂと前記本体固定部３０１ｄをつなぐオーディオ蓋接続腕３０１ｆが設けられている。また、前記電源蓋３０１ｃと前記本体固定部３０１ｄをつなぐ電源蓋接続腕３０１ｇが設けられている。
【００２１】
また、前記リアジャック蓋３０１は、弾性部材により形成されており、各コネクタに圧入することにより各外部接続端子に固定され、保護している。
【００２２】
次に図４、５、６を用いて前記リアジャック蓋３０１の詳細について説明する。図４は前記リアジャック蓋３０１単体を外観面側から示している。図に示すように、前記オーディオ蓋３０１ａの外観部にはドーナツ状の凹形状３０１ｈが設けられている。また、前記、オーディオ蓋３０１ｂの外観部にも同様のドーナツ状の凹形状３０１ｉが設けられている。また、前記電源蓋３０１ｃの外観部にもドーナツ状の凹形状３０１ｊが設けられている。
【００２３】
次に図５は前記リアジャック蓋３０１単体をコネクタ側から示している。図に示すように、前記オーディオ蓋３０１ａのコネクタ側には、前記オーディオ出力モノラルコネクタ２１６に圧入するための凸形状３０１ｋが設けられている。また、前記オーディオ蓋３０１ｂのコネクタ側には、前記オーディオ出力モノラルコネクタ２１７に圧入するための凸形状３０１ｌが設けられている。また、前記電源蓋３０１ｃのコネクタ側には、前記電源コネクタ２１８に圧入するための凸形状３０１ｍが設けられている。
【００２４】
次に図６は前記図５に示した断面Ａ−Ａを示しており、図に示すように、前記凹形状３０１ｉと凸形状３０１ｌが配置されている。尚、上記説明は前記オーディオ蓋３０１ｂを用いたが、前記オーディオ蓋３０１ａ、前記電源蓋３０１ｃ、も同様の構造である。
次に図７、８を用いて蓋を開いた状態での固定について説明する。
【００２５】
図７は、前記図３に対して、前記オーディオ蓋３０１ａを前記オーディオ出力モノラルコネクタ２１６から外して、前記オーディオ蓋３０１ｂに係合させ固定している状態を示している。図のように前記凸形状３０１ｋを前記凹形状３０１ｉに挿入することにより、前記オーディオ蓋３０１ａが前記オーディオ蓋３０１ｂに固定される。
【００２６】
次に図８は図７に示した断面Ｂ−Ｂを示している。図に示すように、前記オーディオ出力モノラルコネクタ２１７に設けられた穴部に前記オーディオ蓋３０１ｂの凸形状３０１ｌが挿入され、固定されている。更に、前記オーディオ蓋３０１ａの凸形状３０１ｋが、前記オーディオ蓋３０１ｂの凹形状３０１ｉに挿入されることにより、前記オーディオ蓋３０１ａを固定することができる。
【００２７】
次に図９を用いてケーブルの挿入について説明する。図は前記オーディオ出力モノラルコネクタ２１６にＸＬＲケーブル９０１を挿入した状態を示している。図に示すように前記ＸＬＲケーブル９０１を前記オーディオ出力モノラルコネクタ２１６に挿入する際に、前記オーディオ蓋３０１ａが開いた状態で固定されている。これにより前記ＸＬＲケーブル９０１を挿入する際に、前記オーディオ蓋３０１ａが邪魔することなく、容易に挿入することが可能である。
【００２８】
また、上記説明では前記オーディオ蓋３０１ａの固定についてであったが、同様に前記オーディオ蓋３０１ｂを前記オーディオ蓋３０１ａに固定することも可能である。また、同様に前記電源蓋３０１ｃを前記オーディオ蓋３０１ｂに固定する等、隣り合ったコネクタ蓋の一方を使用する際に、もう一方のコネクタ蓋に固定することにより、ケーブルを挿入する際に蓋が邪魔しない構造である。
【００２９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３０】
１０  ・・・・  撮像装置
１０１  ・・・・  本体部
１０２  ・・・・  撮像レンズ部
１０３  ・・・・  バッテリー
１０４  ・・・・  Ｄタップコネクタ  
１０５  ・・・・  ワイヤレス通信コネクタ
１０６  ・・・・  マイク入力コネクタ
１０７  ・・・・  レンズコネクタ
１０８  ・・・・  カードユニット
２０１  ・・・・  外付けモニタ接続コネクタ
２０２  ・・・・  ＨＤＭＩケーブルコネクタ
２０３  ・・・・  有線ＬＡＮケーブルコネクタ
２０４  ・・・・  撮影情報出力コネクタ
２０６  ・・・・  モニタ
２０８  ・・・・  リターン信号コネクタ
２０９  ・・・・  ＳＤＩコネクタ
２１３  ・・・・  リモコン端子
２１４  ・・・・  ランクコネクタ
２１５  ・・・・  オーディオ出力ステレオコネクタ
２１６  ・・・・  オーディオ出力モノラルコネクタ
２１７  ・・・・  オーディオ出力モノラルコネクタ
２１８  ・・・・  電源コネクタ
３０１  ・・・・  リアジャック蓋
３０１ａ  ・・・・  オーディオ蓋
３０１ｂ  ・・・・  オーディオ蓋
３０１ｃ  ・・・・  電源蓋
３０１ｄ  ・・・・  本体固定部
３０１ｅ  ・・・・  オーディオ蓋接続腕
３０１ｆ  ・・・・  オーディオ蓋接続腕
３０１ｇ  ・・・・  電源蓋接続腕
３０１ｈ  ・・・・  凹形状
３０１ｉ  ・・・・  凹形状
３０１ｊ  ・・・・  凹形状
３０１ｋ  ・・・・  凸形状
３０１ｌ  ・・・・  凸形状
３０１ｍ  ・・・・  凸形状
９０１  ・・・・  ＸＬＲケーブル
【図１】
2018129649.tif 000003
【図２】
2018129649.tif 000004
【図３】
2018129649.tif 000005
【図４】
2018129649.tif 000006
【図５】
2018129649.tif 000007
【図６】
2018129649.tif 000008
【図７】
2018129649.tif 000009
【図８】
2018129649.tif 000010
【図９】
2018129649.tif 000011